【手続補正書】
【提出日】平成16年11月2日(2004.11.2)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】
トナー像を転写材に転写する転写装置と、回転自在に配設された定着ローラと加圧部材とを互いに押圧して定着ニップ部を形成し、前記定着ニップ部で前記転写材を挟持搬送しつつ、前記トナー像を前記転写材に定着させる定着装置を具備する画像形成装置において、前記定着装置での転写材搬送動作を停止するタイミングと、前記転写装置での転写材搬送動作を停止するタイミングとが異なる動作停止モードを有することを特徴とする画像形成装置。
【請求項２】
前記定着装置での転写材搬送動作と、前記転写装置での転写材搬送動作とは、それぞれ異なる駆動手段により駆動されることによって動作することを特徴とする請求項１に記載の画像形成装置。
【請求項３】
前記動作停止モードは、前記定着装置での転写材搬送動作の停止タイミングと、前記転写装置での転写材搬送動作の停止タイミングとの時間差が、前記転写材が定着ローラの周長分を搬送される時間よりも短くなるように決定されていることを特徴とする請求項１に記載の画像形成装置。
【請求項４】
前記定着装置での転写材搬送動作の停止タイミングと、前記転写装置での転写材搬送動作の停止タイミングとの時間差は、前記転写材の搬送速度により異なることを特徴とする請求項１〜３のいずれかに記載の画像形成装置。
【請求項５】
前記定着装置での転写材搬送動作の停止タイミングと、前記転写装置での転写材搬送動作の停止タイミングとの時間差は、前記転写材のサイズにより異なることを特徴とする請求項１〜４のいずれかに記載の画像形成装置。
【請求項６】
前記定着装置での転写材搬送動作の停止タイミングと、前記転写装置での転写材搬送動作の停止タイミングとの時間差は、前記転写材のジャムにより装置が停止する場合の前記ジャムが検知された場所に応じて異なることを特徴とする請求項１〜５のいずれかに記載の画像形成装置。
【請求項７】
更に、前記転写材へのトナー像の転写位置よりも転写材の搬送方向の下流かつ定着装置よりも転写材搬送方向の上流に配置された第一の転写材検知手段と、第一の転写材検知手段以外に少なくとも１つ以上の転写材検知手段とを具備し、前記転写材へのトナー像の転写位置から定着装置の間に残留した前記転写材が、第一の転写材検知手段またはその他の転写材検知手段の少なくとも１つには必ず検知されるように、前記転写装置での転写材搬送動作の停止タイミングと、前記定着装置での転写材搬送動作の停止タイミングとの時間差が決定されていることを特徴とする請求項１〜６のいずれかに記載の画像形成装置。
【手続補正３】
【補正対象書類名】明細書
【補正対象項目名】０００１
【補正方法】変更
【補正の内容】
【０００１】
【発明の属する技術分野】
本発明は、像加熱装置を備えた電子写真装置・静電記録装置などの画像形成装置に関する。
【手続補正４】
【補正対象書類名】明細書
【補正対象項目名】００２７
【補正方法】変更
【補正の内容】
【００２７】
そこで本発明では、転写位置−定着装置間、または像加熱前位置−像加熱装置間に残留した転写材を確実に検知することでジャムの再発を防止し、良好なユーザビリティを実現することができる画像形成装置を提供することを目的とする。
【手続補正５】
【補正対象書類名】明細書
【補正対象項目名】００２８
【補正方法】変更
【補正の内容】
【００２８】
【課題を解決するための手段】
前記目的を達成するため、本発明では、画像形成装置を次の（１）ないし（７）のとおりに構成する。
（１）トナー像を転写材に転写する転写装置と、回転自在に配設された定着ローラと加圧部材とを互いに押圧して定着ニップ部を形成し、前記定着ニップ部で前記転写材を挟持搬送しつつ、前記トナー像を前記転写材に定着させる定着装置を具備する画像形成装置において、前記定着装置での転写材搬送動作を停止するタイミングと、前記転写装置での転写材搬送動作を停止するタイミングとが異なる動作停止モードを有する画像形成装置。
（２）前記定着装置での転写材搬送動作と、前記転写装置での転写材搬送動作とは、それぞれ異なる駆動手段により駆動されることによって動作する前記（１）に記載の画像形成装置。
（３）前記動作停止モードは、前記定着装置での転写材搬送動作の停止タイミングと、前記転写装置での転写材搬送動作の停止タイミングとの時間差が、前記転写材が定着ローラの周長分を搬送される時間よりも短くなるように決定されている前記（１）に記載の画像形成装置。
（４）前記定着装置での転写材搬送動作の停止タイミングと、前記転写装置での転写材搬送動作の停止タイミングとの時間差は、前記転写材の搬送速度により異なる前記（１）〜（３）のいずれかに記載の画像形成装置。
（５）前記定着装置での転写材搬送動作の停止タイミングと、前記転写装置での転写材搬送動作の停止タイミングとの時間差は、前記転写材のサイズにより異なる前記（１）〜（４）のいずれかに記載の画像形成装置。
（６）前記定着装置での転写材搬送動作の停止タイミングと、前記転写装置での転写材搬送動作の停止タイミングとの時間差は、前記転写材のジャムにより装置が停止する場合の前記ジャムが検知された場所に応じて異なる前記（１）〜（５）のいずれかに記載の画像形成装置。
（７）更に、前記転写材へのトナー像の転写位置よりも転写材の搬送方向の下流かつ定着装置よりも転写材搬送方向の上流に配置された第一の転写材検知手段と、第一の転写材検知手段以外に少なくとも１つ以上の転写材検知手段とを具備し、前記転写材へのトナー像の転写位置から定着装置の間に残留した前記転写材が、第一の転写材検知手段またはその他の転写材検知手段の少なくとも１つには必ず検知されるように、前記転写装置での転写材搬送動作の停止タイミングと、前記定着装置での転写材搬送動作の停止タイミングとの時間差が決定されている前記（１）〜（６）のいずれかに記載の画像形成装置。
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】０２２０
【補正方法】変更
【補正の内容】
【０２２０】
【発明の効果】
以上説明したように、本発明によれば、ジャムによる緊急停止時は、転写部の転写材搬送動作（定着装置への転写材搬送動作）停止タイミングに対して定着装置の転写材搬送動作停止タイミングを遅らせることにより、残留転写材のループを防ぎ再始動時のジャム再発を防止できる画像形成装置を提供できる。
【手続補正２１】
【補正対象書類名】明細書
【補正対象項目名】０２２１
【補正方法】変更
【補正の内容】
【０２２１】
また、ジャムの発生場所や転写材のサイズなどに応じてその遅延時間を可変とすることでジャム再発防止の信頼性や、ジャム処理性が向上してユーザビリティを高めることが可能な画像形成装置を提供できる。